(57)【要約】【課題】把手の組付け作業や分解作業が容易に行なえ、かつ使い勝手がよく、安全性に優れた液体供給装置を提供する。【解決手段】燃料タンク１０は、内部に液体を貯留し、上面を有するタンク部１２と、この上面に回動自在かつ着脱自在に取付けられる把手３０とを備える。上面には一対の係合部１６が配置されており、把手３０は一対の係合部に取付けられる回動軸３２を含む。一対の係合部１６の各々は、回動軸３２を案内すべく一方向に延びるガイドスリット１７と、ガイドスリット１７に連続して設けられ、かつ一方向とは異なる方向に伸びる軸支穴１８とを有する。液体供給装置１０は、回動軸３２がガイドスリット１７に案内されて軸支穴１８に差し込まれた状態において、回動軸３２を押圧付勢することにより、回動軸３２の軸支穴１８からの脱落を防止する樹脂弾性部２２を備える。【選択図】　　　　図５
2004069230.tif 000002
【特許請求の範囲】
【請求項１】
外面を有する本体に着脱自在かつ回動自在に取付けられる把手の取付構造であって、
前記本体は、前記外面に配置された一対の係合部を含み、
前記把手は、前記一対の係合部に取付けられる回動軸を含み、
前記一対の係合部の各々は、前記回動軸を案内すべく一方向に延びるガイドスリットと、前記ガイドスリットに連続して設けられ、かつ前記一方向とは異なる方向に伸びる軸支穴とを有し、
前記回動軸が前記ガイドスリットに案内されて前記軸支穴に差し込まれた状態において、前記回動軸を押圧付勢することにより、前記回動軸の前記軸支穴からの脱落を防止する押圧付勢手段を備える、把手の取付構造。
【請求項２】
機器本体に着脱自在に取付けられ、機器本体の動作に応じて機器本体に液体を供給する液体供給装置であって、
内部に液体を貯留し、上面を有するタンク部と、
前記上面に回動自在かつ着脱自在に取付けられる把手とを備える、液体供給装置。
【請求項３】
前記タンク部は、前記上面に配置された一対の係合部を含み、
前記把手は、前記一対の係合部に取付けられる回動軸を含み、
前記一対の係合部の各々は、前記回動軸を案内すべく一方向に延びるガイドスリットと、前記ガイドスリットに連続して設けられ、かつ前記一方向とは異なる方向に伸びる軸支穴とを有し、
前記回動軸が前記ガイドスリットに案内されて前記軸支穴に差し込まれた状態において、前記回動軸を押圧付勢することにより、前記回動軸の前記軸支穴からの脱落を防止する押圧付勢手段を備える、請求項２に記載の液体供給装置。
【請求項４】
前記上面を覆う樹脂製のタンクカバーをさらに備え、前記押圧付勢手段は、前記タンクカバーに設けられている、請求項３に記載の液体供給装置。
【請求項５】
前記押圧付勢手段は、上下方向に撓むことができるように側方に向けて突出させて形成された樹脂弾性部からなる、請求項４に記載の液体供給装置。
【請求項６】
前記タンクカバーと前記樹脂弾性部とが、一体成形されている、請求項５に記載の液体供給装置。
【請求項７】
前記樹脂弾性部は、前記ガイドスリットの入り口側を向く傾斜面を有している、請求項５または６に記載の液体供給装置。
【請求項８】
請求項２から７のいずれかに記載の液体供給装置を備えた、液体燃料燃焼装置。
【発明の詳細な説明】
【０００１】
【発明の属する技術分野】
本発明は、本体に着脱自在に取付けられる把手の取付構造に関するものである。また、機器本体に着脱自在に取付けられ、かつ着脱のための把手を有する液体供給装置およびこの液体供給装置を備えた液体燃料燃焼装置に関する。
【０００２】
【従来の技術】
本体を持ち運ぶ際の便宜のために、本体に取付けられる把手の取付構造としては種々の構造が知られており、様々な装置に適用されている。把手を備える装置としては、たとえば液体供給装置がある。
【０００３】
液体供給装置の一つに、液体燃料燃焼装置に組み込まれる燃料タンクがある。燃料タンクは、機器本体に着脱自在に取付けられ、機器本体の動作に応じて液体を供給するカートリッジタイプの液体供給装置である。以下においては、この燃料タンクを備えた液体燃料燃焼装置として、石油ファンヒータを例示し、その構造について説明する。
【０００４】
図１０は、従来の石油ファンヒータの外観を示す図である。石油ファンヒータの機器本体は筐体１０１を有し、置台１０５の上にこの筐体１０１が載置されることによって構成されている。筐体１０１の前板１０６の下部には、室内に温風を吹き出す吹出口１０２が形成されている。筐体１０１の上面を塞ぐ機器本体の天板１０８には、運転状態を切換えるスイッチ類が収まった操作部１０３が配置されている。機器本体の天板１０８の所定位置には開口が設けられており、この開口を通じて筐体１０１内部に燃料タンク１１０が着脱自在に取付けられる。
【０００５】
図１１は、上記石油ファンヒータに搭載される燃料タンクの外観を示す図である。燃料タンク１１０は、上方を覆う上面を有し、内部に液体燃料を貯留するタンク部１１２と、タンク部１１２の上面を覆うように取付けられた樹脂からなるタンクカバー１２０とを備える。図１１に示す燃料タンク１１０は、燃料補給作業時に上下を反転させる必要のないように構成された燃料タンクであり、タンク部１１２の上方に補給口１４４を有する。このため、燃料タンク１１０の上方には、タンクカバー１２０の上面と連続面をなすように樹脂からなる補給口カバー１２１が設けられている。また、この補給口カバー１２１を開閉する開閉ボタン１２５が補給口カバー１２１の近傍に設けられている。
【０００６】
燃料タンク１１０の上方には、燃料補給作業時に燃料タンクを運んだり、機器本体へ着脱したりするための把手１３０が設けられている。把手１３０は、タンクカバー１２０の上面に設けられた把手収納部１２４に収納されることにより、その上面がタンクカバー１２０の上面と連続するように構成されている。
【０００７】
上記構成の燃料タンク１１０を石油ファンヒータの機器本体に装着した状態においては、図１０に示すように、燃料タンク１１０の上部が機器本体の天板１０８から露出した状態となる。このため、燃料補給作業時に、機器本体の上側から燃料タンク１１０を出し入れする作業が容易に行なえるようになる。
【０００８】
図１２は、把手の回動軸の近傍を回動軸の延びる方向に沿って切断した場合の断面図である。把手１３０は、内部に金属製の線状部材１３２を有し、この線状部材１３２を覆うように樹脂製の把手カバー１３１が取付けられることによって構成されている。また、燃料タンク１１０への把手１３０の取付けは、燃料タンク１１０の上部に設けられた把手取付板１１５に形成された貫通穴に、把手１３０の線状部材１３２の回動軸を挿し込むことによって行なわれる。この把手の取付構造によれば、持ち易く、かつ高齢者や婦女子にあっても取扱いのし易い燃料タンクとなるが、把手を燃料タンクから外すことは容易にできなくなる。
【０００９】
【発明が解決しようとする課題】
上述のような把手の取付構造を採用した液体供給装置にあっては、以下のような問題があった。
【００１０】
まず第１に、把手の組付け作業および分解作業の煩雑さが挙げられる。液体供給装置にあっては、タンク部内に液体を満たした状態においては相当の重量となる。このため、タンク部を金属製にし、同じく金属製の線状部材からなる把手をタンク部に取付けることにより、自重に耐えられるように工夫されている。しかしながら、直接、金属製の線状部材を握るようにしたのでは、手に線状部材がくい込むため運搬作業に苦痛が伴う。また、金属製の線状部材からなる把手を表面に剥き出しにしたのでは、美観面でも問題がある。このため、上述のように金属製の線状部材に樹脂製の把手カバーを取付けることにより、握り易さと美観の確保の両立が図られる場合が多い。
【００１１】
しかしながら、上記のように把手を金属製の線状部材と樹脂製の把手カバーとから構成した場合には、把手取付板に予め線状部材を取付けた後に把手カバーを線状部材に取付ける必要があるため、取付け作業が非常に煩雑なものとなっていた。また、メンテナンス時やリサイクル時に行なわれる把手の分解作業においても同様の手間がかかり、破損してしまうこともしばしばあった。
【００１２】
第２に、安全性の問題がある。たとえば、上述のような石油ファンヒータにあっては、幼少年者が機器本体から燃料タンクを誤って燃料タンクを取出すおそれがあり、燃料注入口の開閉手段を開放して燃料を飛散させるおそれがある。
【００１３】
そこで、本発明は、上述の問題点を解決すべくなされたものであり、組付け作業や分解作業が容易に行なえる把手の取付構造およびこの把手の取付構造を採用することにより、使い勝手がよくかつ安全性に優れた液体供給装置およびこれを備えた液体燃料燃焼装置を提供することを目的とする。
【００１４】
【課題を解決するための手段】
本発明に基づく把手の取付構造は、本体に着脱自在かつ回動自在に取付けられる把手の取付構造であり、本体と、把手と、押圧付勢手段とを備える。本体は、外面を有しており、この外面に配置された一対の係合部を含んでいる。把手は、この一対の係合部に取付けられる回動軸を含んでいる。一対の係合部の各々は、回動軸を案内すべく一方向に延びるガイドスリットと、ガイドスリットに連続して設けられ、かつガイドスリットの延伸方向とは異なる方向に伸びる軸支穴とを有する。押圧付勢手段は、回動軸がガイドスリットに案内されて軸支穴に差し込まれた状態において、回動軸を押圧付勢することにより、回動軸が軸支穴から脱落することを防止するように構成されている。
【００１５】
このように、把手の回動軸を案内するガイドスリットと回動軸を軸支する軸支穴とを有する係合部を設け、ガイドスリットに案内されて軸支穴に嵌まり込んだ回動軸が脱落しないように、回動軸を押圧付勢する押圧付勢手段を設けることにより、本体に対して着脱自在かつ回動自在に取付け可能な把手の取付構造が簡便な構成にて実現されるようになる。これにより、把手を取付ける作業や把手を分解する作業が非常に簡便に行なえるようになり、作業性が向上する。また、必要に応じて把手を本体へ取付けたり、本体から取外したりすることができるようになるため、ユーザーの便宜に資することにもなる。
【００１６】
本発明に基づく液体供給装置は、機器本体に着脱自在に取付けられ、機器本体の動作に応じて機器本体に液体を供給する液体供給装置であって、内部に液体を貯留し、上面を有するタンク部と、上面に回動自在かつ着脱自在に取付けられる把手とを備える。
【００１７】
このように、液体供給装置に取付けられる把手を着脱自在とすることにより、把手の組立て作業や分解作業が非常に簡便に行なえるようになる。また、機器本体へ液体供給装置を装着した後に把手を液体供給装置から取外しておけば、機器本体の動作時に誤って液体供給装置を機器本体から取外すこともなくなる。このため、安全性の面で優れた液体供給装置を提供することが可能になる。
【００１８】
上記本発明に基づく液体供給装置にあっては、たとえば、タンク部は上面に配置された一対の係合部を含み、把手は一対の係合部に取付けられる回動軸を含み、一対の係合部の各々は、回動軸を案内すべく一方向に延びるガイドスリットと、ガイドスリットに連続して設けられ、かつ一方向とは異なる方向に伸びる軸支穴とを有し、回動軸がガイドスリットに案内されて軸支穴に差し込まれた状態において、回動軸を押圧付勢することにより、回動軸の軸支穴からの脱落を防止する押圧付勢手段を備えていることが好ましい。このように、把手の回動軸を案内するガイドスリットと回動軸を軸支する軸支穴とを有する係合部を設け、ガイドスリットに案内されて軸支穴に嵌まり込んだ回動軸が脱落しないように、回動軸を押圧付勢する押圧付勢手段を設けることにより、上述のような液体供給装置に対して着脱自在かつ回動自在に取付け可能な把手の取付構造が簡便に実現される。
【００１９】
上記本発明に基づく液体供給装置にあっては、たとえば、上面を覆う樹脂製のタンクカバーをさらに備え、押圧付勢手段はこのタンクカバーに設けられていることが好ましい。このように、液体供給装置の美観面への配慮からタンク部の上面を覆うように樹脂製のタンクカバーを設けた場合には、押圧付勢手段をこのタンクカバーに設けることによって、簡便に着脱自在および回動自在の把手の取付構造を実現することが可能になる。
【００２０】
本発明に基づく液体供給装置にあっては、たとえば、押圧付勢手段は、上下方向に撓むことができるように側方に向けて突出させて形成された樹脂弾性部からなることが好ましい。このように、上下方向に撓むことが可能となるように側方に向けて突出させて形成した樹脂からなる弾性部によって押圧付勢手段を構成することにより、バネなどの部材を用いることなく容易に押圧付勢手段を形成することが可能になる。
【００２１】
上記本発明に基づく液体供給装置にあっては、たとえば、タンクカバーと樹脂弾性部とが一体成形されているが好ましい。押圧付勢手段である樹脂弾性部をタンクカバーの成形時に同時に一体成形することにより、別途、弾性力を有する部材を押圧付勢手段として組付ける必要がなくなるため、部品点数の削減および組立工程の簡易化が可能になる。これにより、製造コストを削減することが可能になる。
【００２２】
上記本発明に基づく液体供給装置にあっては、たとえば、樹脂弾性部は、ガイドスリットの入り口側を向く傾斜面を有していることが好ましい。このように、樹脂弾性部にガイドスリットの入り口側を向く傾斜面を形成してスロープを設けることにより、把手を取付ける際の回動軸の案内がよりスムーズになり、取付け作業がさらに容易となる。
【００２３】
本発明に基づく液体燃料燃焼装置は、上述のいずれかの液体供給装置を備えている。このように、上述のいずれかの液体供給装置を備えた液体燃料燃焼装置とすることにより、安全性の面で優れた液体燃料燃焼装置を提供することが可能になる。
【００２４】
【発明の実施の形態】
以下、本発明の一実施の形態について、図を参照して説明する。なお、本実施の形態においては、液体供給装置の一例として液体燃料燃焼装置に装着される燃料タンクを例示して説明を行なう。
【００２５】
（燃料タンク上部の構造）
まず、図１を参照して、把手を取付けた状態における燃料タンクについて説明する。図１は、本発明の実施の形態における燃料タンクの上部の構造を示す概略斜視図である。燃料タンク１０は、内部に液体燃料を貯留するタンク部１２を備える。タンク部１２は、図示していない上面を有している。タンク部１２の上面は、樹脂製のタンクカバー２０によって覆われている。図１に示す燃料タンク１０は、燃料補給作業時に上下を反転させる必要のないように構成された燃料タンクであり、タンク部１２の上方に図示しない補給口を有する。このため、燃料タンク１０の上方には、タンクカバー２０の上面と連続面をなすように樹脂製の補給口カバー２１が設けられている。また、この補給口カバー２１を開閉する開閉ボタン２５が補給口カバー２１に設けられている。
【００２６】
燃料タンク１０の上方には、燃料補給作業時に燃料タンクを運んだり、機器本体へ燃料タンクを取付けたり、機器本体から燃料タンクを取外したりするための把手３０が設けられている。把手３０は、タンクカバー２０の上面に設けられた把手収納部２４に収納されることにより、その上面がタンクカバー２０の上面と連続するように構成されている。把手３０は、コの字型の形状を有しており、燃料タンク１０の上面において一つの点から他の点へと至るように配置されている。
【００２７】
次に、図２を参照して、把手およびタンクカバーを取外した状態での燃料タンク上部の構造について説明する。タンク部１２の上面には、把手取付板１５が取付けられている。把手取付板１５は、プレス加工により、立設して設けられた一対の係合部１６を含んでいる。各々の係合部１６には、その一部を切り欠くことにより、一方向に延びるガイドスリット１７と、ガイドスリット１７の延びる方向とは異なる方向に延びる軸支穴１８とが設けられている。このガイドスリット１７は、後述する把手の回動軸を軸支穴１８へと案内する部分であり、軸支穴１８は、把手の回動軸を受入れて把手を回動自在に軸支する部分である。
【００２８】
次に、図３を参照して、図２に示す燃料タンクの上部にタンクカバーを取付けた状態での燃料タンク上部の構造について説明する。上述のように、タンクカバー２０は、その上面に把手収納部２４を有している。把手収納部２４は、タンクカバー２０の上面の一つの点から他の点へと至るようにコの字型の形状を有しており、タンクカバー２０の上面に段差を設けることによって形成されている。把手収納部２４を形成することによって生ずるタンクカバー２０の壁面の所定位置には、開口２３が設けられている。この開口２３の内側には、上述の把手取付板１５に設けられた一対の係合部１６が面している。また、把手収納部２４の底面のうち、係合部１６に対応した位置には、押圧付勢手段としての樹脂弾性部２２が設けられている。この樹脂弾性部２２は、一対の係合部１６に対応して、把手収納部２４に２箇所設けられている。
【００２９】
樹脂弾性部２２は、上下方向に撓むことが可能となるように把手収納部２４の底面を一部切り欠き、かつ撓んでいない状態において把手収納部２４の底面から上方および側方に向かって突出するように形成された片持ち状態の部位であり、タンクカバー２０の製作時に一体成形加工により同時に形成される。また、樹脂弾性部２２は、ガイドスリット１７の入り口側に面する傾斜面２２ａを有している。
【００３０】
（把手の構造）
次に、図４を参照して把手の構造について説明する。図４は、図１に示す燃料タンクに着脱自在に取付けられる把手の構造を示す上面図である。図に示すように把手３０は、コの字型をした樹脂からなる把手カバー３１と、把手カバー３１の内周面側に位置する一対の回動軸３２とからなる。回動軸３２は、金属製の線状部材からなり、その一部が把手カバー３１から露出した状態となっている。なお、この把手の製造に際しては、把手カバー中に金属製の線状部材をインサート成形して製造してもよいし、把手カバーを上下２つの部材に分け、その間に金属製の線状部材を挟み込むことによって製造してもよい。また、一部材からなる把手カバーに金属製の線状部材を嵌め込んだ構成にて製造してもよい。
【００３１】
（燃料タンクへの把手の取付け動作）
以下においては、図５を参照して、把手を燃料タンクに取付ける場合の動作について説明する。図５は、把手を燃料タンクに取付ける場合の動作を説明するための図である。図に示すように、把手３０を燃料タンク１０に取付ける場合には、把手３０を寝かせた状態にして、燃料タンク１０の上部に設けられた把手収納部２４へと図中矢印Ａ方向から挿し込む。このとき、把手３０の回動軸３２は、タンクカバー２０に把手収納部２４を設けることによって生じた壁面に設けられた開口２３を経由し、把手取付板１５に設けられた係合部１６へと至る。さらに、図中矢印Ａ方向に把手３０を挿し込むことにより、回動軸３２は係合部１６に設けられたガイドスリット１７によって案内されて軸支穴１８へと達する。このとき、把手収納部２４の底面に設けられた樹脂弾性部２２によって把手３０が上方へと押圧付勢されるため、回動軸３２の軸支穴１８からの脱落が防止され、把手３０が確実に燃料タンク１０へと組付けられる。
【００３２】
図６（ａ）から図６（ｄ）は、上述した把手の取付け動作の際の各部の動きを段階的に示す模式図である。以下、この模式図に沿って各部の動作をより詳細に説明する。
【００３３】
まず、把手３０に設けられた回動軸３２は、タンクカバー２０の壁面に設けられた開口２３を通って、係合部１６へと接近する（図６（ａ）参照）。さらに、図中矢印Ａ方向へと把手３０を挿し込むことにより、把手３０の回動軸３２は係合部１６のガイドスリット１７内へと進入する（図６（ｂ）参照）。さらに、図中矢印Ａ方向へと把手３０を押し込むことにより、把手３０の底面によって把手収納部２４の底面に設けられた樹脂弾性部２２の傾斜面２２ａが押圧され、樹脂弾性部２２は下方（図中矢印Ｂ方向）へと押し下げられる（図６（ｃ）参照）。さらに、把手３０を押し込むと、樹脂弾性部２２の弾性力に抗していた回動軸３２とガイドスリット１７との当接が解除されるため、把手３０の回動軸３２が軸支穴１８へと進入する（図６（ｄ）参照）。このとき、樹脂弾性部２２は、その弾性力によって図中矢印Ｃ方向へと移動することにより、把手３０を押し上げて元の位置へと復帰しようとするため、回動軸３２が軸支穴１８から外れてガイドスリット１７内へと戻ることを防止することになる。以上により、把手３０を燃料タンク１０に容易に取付けることが可能になる。
【００３４】
（把手の回動動作）
次に、図７（ａ）および図７（ｂ）を参照して、把手の回動動作について説明する。図７（ａ）は、把手を寝かせた状態を示す燃料タンク上部の側面図であり、図７（ｂ）は、把手を引き起こした状態を示す燃料タンク上部の側面図である。
【００３５】
図７（ａ）に示すように、把手３０を倒した状態においては、把手３０はタンクカバー２０の上面に設けられた把手収納部２４内に収納されている。この把手３０を図７（ｂ）中に示す矢印Ｄ方向に回動させ、把手３０を略垂直にまで引き起こした状態においては、把手３０の持ち手部分が把手収納部２４から出た状態となるため、把手３０を握ることが可能になる。
【００３６】
図７（ｂ）に示すように、把手３０を引き起こした状態においても、把手３０は樹脂弾性部２２によって上方に向かって押圧付勢されている。このため、把手３０の回動軸３２が係合部１６の軸支穴１８から脱落することがなく、自由に把手３０を回動させることが可能になっている。
【００３７】
（燃料タンクからの把手の取外し動作）
図８（ａ）から図８（ｄ）は、燃料タンクから把手を取外す際の各部の動きを段階的に示す模式図である。以下、この模式図に沿って各部の動作を詳細に説明する。まず、把手３０を寝かせ、把手収納部２４内に収納された状態とする。次に、把手３０の回動軸３２が設けられた位置を図中矢印Ｆ方向に向かって押し下げる（図８（ａ）参照）。これにより、樹脂弾性部２２は図中矢印Ｇ方向へ押し下げられ、回動軸３２が軸支穴１８からガイドスリット１７へと移動する（図８（ｂ）参照）。つづいて、把手３０を図中矢印Ｈ方向へと引っ張ることにより、把手３０は横方向へと後退し、回動軸３２がガイドスリット１７に案内されて移動する（図８（ｃ）参照）。このとき、把手３０による樹脂弾性部２２の下方への押圧は解除され、樹脂弾性部２２は図中矢印Ｉ方向へと移動し、元の位置へと復帰する。さらに、把手３０を引っ張ることにより、回動軸３２はガイドスリット１７から外れ、タンクカバー２０に設けられた開口２３を経由して燃料タンク１０から取外される（図８（ｄ）参照）。以上により、把手３０を燃料タンク１０から容易に取外すことが可能になる。
【００３８】
（作用・効果）
以上において説明したように、把手の回動軸を案内するガイドスリットと回動軸を軸支する軸支穴とを有する係合部を設け、ガイドスリットに案内されて軸支穴に嵌まり込んだ回動軸が脱落しないように、回動軸を押圧付勢する押圧付勢手段を設けることにより、燃料タンクに対して着脱自在かつ回動自在に取付け可能な把手の取付構造が実現可能になり、また、把手の組立て作業や分解作業が非常に簡便に行なえるようになる。また、機器本体へ燃料タンクを装着した後に把手を燃料タンクから取外しておけば、機器本体の動作時に誤って燃料タンクを機器本体から取外すこともなくなる。このため、安全性の面で優れた燃料タンクを提供することが可能になる。また、回動軸の軸支穴からの脱落を防止する押圧付勢手段を樹脂弾性部にて構成することにより、簡便かつ安価に着脱自在の把手の取付構造とすることが可能になる。
【００３９】
（石油ファンヒータへの応用）
以下においては、上述の燃料タンクを石油ファンヒータに応用した場合の石油ファンヒータの構造について説明する。図９は、本発明に基づいた石油ファンヒータの構造を示す外観図である。図に示すように、石油ファンヒータの機器本体は、筐体１を有し、置台５の上にこの筐体１が載置されることによって構成されている。筐体１の内部には、燃焼部や液体供給装置である燃料タンク１０が収容されている。筐体１の前板６の下部には、室内に温風を吹き出す吹出口２が形成されており、前板６の上部には、運転状態を切換えるスイッチ類が収まった操作部３が配置されている。機器本体の天板８の所定位置には、開口が設けられており、この開口を通じて筐体１内部に燃料タンク１０が着脱自在に機器本体に取付けられる。
【００４０】
石油ファンヒータの筐体１の上部には、燃料タンク１０を装着した状態において燃料タンク１０から把手３０を取外すことが可能となるように、把手着脱用段差部９が設けられている。この把手着脱用段差部９に沿って把手３０を手前に引っ張ることにより、把手３０を燃料タンク１０から取外すことが可能になる。また、把手３０を燃料タンク１０に取付ける場合には、把手着脱用段差部９に沿って把手３０を挿し込むことにより、燃料タンク１０に把手３０を取付けることが可能になる。上記構成の石油ファンヒータとすることにより、機器本体へ燃料タンク１０を装着した後に把手３０を燃料タンク１０から取外しておけば、機器本体の動作時に誤って燃料タンク１０を機器本体から取外すこともなくなり、安全性の面で優れた石油ファンヒータとすることが可能になる。
【００４１】
以上において説明した液体供給装置は、石油ファンヒータや石油ストーブなどの液体燃料燃焼装置や加湿器などの空気調和機など、液体を用いて作動する装置全般に適用可能である。
【００４２】
上記実施の形態においては、液体補給作業時に上下を反転させる必要のない液体供給装置を例示して説明を行なったが、特にこれに限定されるものではなく、上下反転させるタイプの液体供給装置に本発明を適用することも当然に可能である。
【００４３】
また、上述の実施の形態においては、押圧付勢手段として把手カバーを切り欠くことによって形成された樹脂弾性部を構成した場合を例示して説明を行なったが、特にこの構成に限定されるものではなく、弾性力を有し押圧付勢することができる部材であればどのようなものであってもよい。
【００４４】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【００４５】
【発明の効果】
本発明によれば、組付け作業や分解作業が容易に行なえる把手の取付構造およびこの把手の取付構造を採用することにより、使い勝手がよくかつ安全性に優れた液体供給装置およびこれを備えた液体燃料燃焼装置を提供することが可能になる。
【図面の簡単な説明】
【図１】本発明の一実施の形態における燃料タンクの上部の構造を示す概略斜視図である。
【図２】図１に示す燃料タンクの把手およびタンクカバーを取外した状態での燃料タンク上部の概略斜視図である。
【図３】図２に示す燃料タンクにタンクカバーを取付けた状態での燃料タンク上部の概略斜視図である。
【図４】図１に示す燃料タンクに着脱自在に取付けられる把手の構造を示す上面図である。
【図５】本発明の一実施の形態における把手の取付け動作を説明するための図である。
【図６】本発明の一実施の形態における燃料タンクへの把手の取付け時における各部の動作を段階的に示す模式図である。
【図７】本発明の一実施の形態における把手の回動動作を示す燃料タンク上部の側面図である。
【図８】本発明の一実施の形態における燃料タンクから把手を取外す際の各部の動作を段階的に示す模式図である。
【図９】本発明の一実施の形態における液体燃料燃焼装置の構造を示す斜視図である。
【図１０】従来の石油ファンヒータの外観図である。
【図１１】図１０に示す従来の石油ファンヒータに搭載される燃料タンクの外観図である。
【図１２】従来の燃料タンクにおける把手の取付構造を説明するための把手の回動軸の近傍を回動軸の延伸方向に沿って切断した断面図である。
【符号の説明】
１　筐体、２　吹出口、３　操作部、５　置台、６　前板、８　天板、９　把手着脱用段差部、１０　燃料タンク、１２　タンク部、１５　把手取付板、１６係合部、１７　ガイドスリット、１８　軸支穴、２０　タンクカバー、２１　補給口カバー、２２　樹脂弾性部、２２ａ　傾斜面、２３　開口、２４　把手収納部、２５　開閉ボタン、３０　把手、３１　把手カバー、３２　回動軸。
【図１】
2004069230.tif 000003
【図２】
2004069230.tif 000004
【図３】
2004069230.tif 000005
【図４】
2004069230.tif 000006
【図５】
2004069230.tif 000007
【図６】
2004069230.tif 000008
【図７】
2004069230.tif 000009
【図８】
2004069230.tif 000010
【図９】
2004069230.tif 000011
【図１０】
2004069230.tif 000012
【図１１】
2004069230.tif 000013
【図１２】
2004069230.tif 000014